(57)【要約】【解決手段】便槽部材Ｅと該便槽部材に載置されるハウス部材Ｈと該ハウス部材内に配設される清水タンク部材Ｗと該清水タンク部材に配設される便器Ｔとを有する仮設トイレにおいて、清水タンク部材に、ハウス部材の奥壁２に形成された開口２ａから突出可能な清水補給用小型タンクｗを形成したものである。【効果】清水タンク部材への清水の供給を、ハウス部材の外側から行うことができ、従って、清水タンク部材への清水の供給作業の作業性が向上する。【選択図】図２
2006257795.tif 000002
【特許請求の範囲】
【請求項１】
便槽部材と該便槽部材に載置されるハウス部材と該ハウス部材内に配設される清水タンク部材と該清水タンク部材に配設される便器とを有する仮設トイレにおいて、前記清水タンク部材に、前記ハウス部材の奥壁に形成された開口から突出可能な清水補給用小型タンクが形成されていることを特徴とする仮設トイレ。
【請求項２】
前記清水タンク部材の外壁に、前記ハウス部材を構成する側壁の内面に形成された略逆Ｕ字状の嵌合溝に嵌合可能な嵌合突起が形成されていることを特徴とする請求項１に記載の仮設トイレ。
【請求項３】
前記清水補給用小型タンクに、該清水補給用小型タンクが前記ハウス部材の奥壁に形成された開口から突出した際に、前記便槽部材の後部段部に形成された汚物吸引・清水注入用開口の上方に位置する清水排出口が形成されていることを特徴とする請求項１又は請求項２に記載の仮設トイレ。
【発明の詳細な説明】
【技術分野】
【０００１】
本発明は、建築現場や運動場や海水浴場等の屋外において使用される仮設トイレに関するものである。
【背景技術】
【０００２】
従来、屋根部と奥壁と相対する側壁と床部と前枠と該前枠に取り付けられた扉部とからなるハウス部材、前記床部の上に載置された清水タンク部材、該清水タンク部材に配設された便器、前記床部の下に配置された便槽部材等を組み立てることにより構成された仮設トイレが、一例として、特許文献１に記載されている。
【０００３】
【特許文献１】特許第２６５６４２５号公報
【発明の開示】
【発明が解決しようとする課題】
【０００４】
上述した従来の仮設トイレにおいては、清水タンク部材への清水の供給が、扉部を開けて、清水パイプを、扉部側から狭いハウス部材内に導入するとともに、清水タンク部材に穿設された清水供給口に挿入するように構成されているので、清水タンク部材への清水の供給作業の作業性が悪いという問題があった。
【０００５】
また、仮設トイレを解体するに当たっては、清水タンク部材の残余の清水を除去することになるが、このような清水タンク部材の残余清水の除去の際には、上述した清水タンク部材の清水供給口にバキュームパイプを挿入する必要があるが、狭いハウス部材内におけるこのような残余清水の除去作業には、時間と労力を要し、従って、残余清水の除去作業の作業性が悪いという問題があった。
【０００６】
本発明の目的は、上述した従来の仮設トイレが有する課題を解決することにある。
【課題を解決するための手段】
【０００７】
本発明は、上述した目的を達成するために、便槽部材と該便槽部材に載置されるハウス部材と該ハウス部材内に配設される清水タンク部材と該清水タンク部材に配設される便器とを有する仮設トイレにおいて、第１には、清水タンク部材に、ハウス部材の奥壁に形成された開口から突出可能な清水補給用小型タンクを形成したものであり、第２には、清水タンク部材の外壁に、ハウス部材を構成する側壁の内面に形成された略逆Ｕ字状の嵌合溝に嵌合可能な嵌合突起を形成したものであり、第３には、清水補給用小型タンクに、清水補給用小型タンクがハウス部材の奥壁に形成された開口から突出した際に、便槽部材の後部段部に形成された汚物吸引・清水注入用開口の上方に位置する清水排出口を形成したものである。
【発明の効果】
【０００８】
清水タンク部材に、ハウス部材の奥壁に形成された開口から突出可能な清水補給用小型タンクを形成したので、清水タンク部材への清水の供給を、ハウス部材の外側から行うことができ、従って、清水タンク部材への清水の供給作業の作業性が向上する。
【０００９】
また、清水タンク部材の清水補給用小型タンクが、ハウス部材内に収納することができるので、ハウス部材を接近して並設することができ、従って、ハウス部材の搬送効率や保管効率が向上するとともに、清水補給用小型タンクの損傷を防止することができる。
【００１０】
清水タンク部材の外壁に、ハウス部材を構成する側壁の内面に形成された略逆Ｕ字状の嵌合溝に嵌合可能な嵌合突起を形成したので、仮設トイレの使用時及び仮設トイレの搬送時に、清水タンク部材が水平移動するようなことを防止することができる。
【００１１】
清水補給用小型タンクに、清水補給用小型タンクがハウス部材の奥壁に形成された開口から突出した際に、便槽部材の後部段部に形成された汚物吸引・清水注入用開口の上方に位置する清水排出口を形成したので、清水タンク部材Ｗからの残余清水の除去作業の作業性が向上する。
【実施例】
【００１２】
以下に、本発明の実施例について説明するが、本発明の趣旨を越えない限り、何ら、本実施例に限定されるものではない。
【００１３】
先ず最初に、図１〜図３を用いて、主として、仮設トイレの全体構成について説明する。
【００１４】
Ｈは、ハウス部材であり、ハウス部材Ｈは、屋根部１と奥壁２と相対する側壁３と床部４と前枠５と該前枠５に取り付けられた扉部６とから構成されている。Ｅは、汚物を貯留するための略角筒状の便槽部材であり、便槽部材Ｅの上面には、ハウス部材Ｈが載置されるように構成されている。Ｗは、平面形状が、略Ｕ字状の清水を貯留するための清水タンク部材であり、清水タンク部材Ｗは、ハウス部材Ｈの床部４に載置されるように構成されており、清水タンク部材Ｗの凹部には、便器Ｔが収容されている。また、ハウス部材Ｈを構成する床部４の裏面には、少なくとも、側壁３に沿って、ガイド凹部４ａが形成されている。なお、本実施例には、床部４の全周に沿って、ガイド凹部４ａが形成されている例が示されている。
【００１５】
図４〜図６に示されているように、便槽部材Ｅは、ハウス部材Ｈの床部４が載置される載置部ｅ１と載置部ｅ１より一段下がったステップ部ｅ２とを有しており、便槽部材Ｅの底部ｅ３の長辺側には、所定の間隔を置いて、フォークが挿入可能なフォーク挿入用凹部ｅ３ａが形成されている。また、載置部ｅ１の略方形状の中央領域ｅ１ａには、汚物が投入される汚物投入用開口ｅ１ｂが穿設されており、更に、ステップ部ｅ２と反対側には、載置部ｅ１より一段下がった後部段部ｅ４が形成されており、後部段部ｅ４の上面には、汚物吸引ダクトが挿入可能な、且つ、余った清水が注入可能な汚物吸引・清水注入用開口ｅ４ａが穿設されているとともに、更にまた、後部段部ｅ４の上面には、排気用開口ｅ４ｂが穿設されている。なお、汚物吸引・清水注入用開口ｅ４ａは、適当な蓋部材ｅ５により被蓋されるように構成されている。後部段部ｅ４側に位置する便槽部材Ｅの後壁ｅ６の下部には、排水口ｅ６ａが穿設されており、排水口ｅ６ａのネジ部には、キャップｅ６ｂが螺合されている。
【００１６】
便槽部材Ｅの載置部ｅ１には、載置部ｅ１の周囲には、相対する長辺側土手ｅ７ａと相対する短辺側土手ｅ７ｂとから形成された周辺土手部材ｅ７が形成されており、周辺土手部材ｅ７の上面は、汚物投入用開口ｅ１ｂが穿設されている載置部ｅ１の中央領域ｅ１ａと略同じレベルになるように形成されている。また、略方形状の中央領域ｅ１ａの角部付近と長辺側土手ｅ７ａの両端部とは、４本の傾斜土手部ｅ８により連結されているとともに、短辺側土手ｅ７ｂ側に位置する中央領域ｅ１ａの中央部と相対する短辺側土手ｅ７ｂの中央部とは、それぞれ、連結土手部ｅ９により連結されている。なお、本実施例においては、連結土手部ｅ９は、短辺側土手ｅ７ｂ側に位置する中央領域ｅ１ａの中央部と短辺側土手ｅ７ｂの中央部とを連結する幹状土手ｅ９ａと、幹状土手ｅ９ａの略中央から枝分かれしているとともに、傾斜土手部ｅ８まで達していない枝状土手ｅ９ｂとにより、平面形状が略十字状に形成されている。更に、長辺側土手ｅ７ａ側の中央領域ｅ１ａの中央部には、長辺側土手ｅ７ａ方向に延在する補強用土手部ｅ１０が形成されており、本実施例においては、補強用土手部ｅ１０は、長辺側土手ｅ７ａに対して略垂直な分岐土手ｅ１０ａと、分岐土手ｅ１０ａの先端に形成されているとともに、長辺側土手ｅ７ａに対して略平行な端部土手ｅ１０ｂとにより、平面形状が略Ｔ字状に形成されている。
【００１７】
上述した便槽部材Ｅの載置部ｅ１の中央領域ｅ１ａの上面、周辺土手部材ｅ７の上面、傾斜土手部ｅ８の上面、連結土手部ｅ９の上面及び補強用土手部ｅ１０の上面は、略同じレベルになるように形成されており、それ以外の載置部ｅ１を、載置部ｅ１の中央領域ｅ１ａの上面、周辺土手部材ｅ７の上面、傾斜土手部ｅ８の上面、連結土手部ｅ９の上面及び補強用土手部ｅ１０の上面より一段低くすることにより、載置部ｅ１には、排水用凹部ｅ１１が形成されている。本実施例においては、周辺土手部材ｅ７を構成する長辺側土手ｅ７ａと相対する傾斜土手部ｅ８と載置部ｅ１の中央領域ｅ１ａとにより囲まれた長辺側凹部ｅ１１ａが形成されているとともに、周辺土手部材ｅ７を構成する短辺側土手ｅ７ｂと相対する傾斜土手部ｅ８と載置部ｅ１の中央領域ｅ１ａとにより囲まれた短辺側凹部ｅ１１ｂとが形成されており、２個の長辺側凹部ｅ１１ａと２個の短辺側凹部ｅ１１ｂとにより、排水用凹部ｅ１１が形成されているとともに、長辺側凹部ｅ１１ａ同士、各短辺側凹部ｅ１１ｂ同士及び長辺側凹部ｅ１１ａと短辺側凹部ｅ１１ｂとは、それぞれ、連通されておらず、独立している。
【００１８】
周辺土手部材ｅ７を構成する長辺側土手ｅ７ａの略中央部には、長辺側凹部ｅ１１ａに連通する排水口ｅ１２が形成されているとともに、周辺土手部材ｅ７を構成する短辺側土手ｅ７ｂの両端部には、短辺側凹部ｅ１１ｂに連通する排水口ｅ１３が形成されている。このように構成することにより、長辺側凹部ｅ１１ａや短辺側凹部ｅ１１ｂに溜まった雨水や洗浄水は、排水口ｅ１２、ｅ１３を経て、便槽部材Ｅの外に排出されることになる。従って、便槽部材Ｅに、雨水や洗浄水が貯留されるようなことを防止することができる。
【００１９】
また、上述した傾斜土手部ｅ８の長辺側土手ｅ７ａ側には、長辺側土手ｅ７ａに沿って、且つ、傾斜土手部ｅ８を横断する浸入阻止用凹溝ｅ１４が形成されており、同様に、連結土手部ｅ９を構成する幹状土手ｅ９ａの短辺側土手ｅ７ｂ側には、短辺側土手ｅ７ｂに沿って、且つ、幹状土手ｅ９ａを横断する浸入阻止用凹溝ｅ１５が形成されている。このような浸入阻止用凹溝ｅ１４、ｅ１５の深さは、上述した長辺側凹部ｅ１１ａ及び短辺側凹部ｅ１１ｂの深さより浅く形成されている。このような浸入阻止用凹溝ｅ１４、ｅ１５を形成するとにより、長辺側土手ｅ７ａ側や短辺側土手ｅ７ｂ側から便槽部材Ｅの載置部ｅ１に浸入した雨水や洗浄水が、浸入阻止用凹溝ｅ１４、ｅ１５から、長辺側凹部ｅ１１ａや短辺側凹部ｅ１１ｂに流れ込み、排水口ｅ１２、ｅ１３を経て、便槽部材Ｅの外に排出されることになる。従って、雨水や洗浄水が、便槽部材Ｅの載置部ｅ１の中央領域ｅ１ａまで達するようなことを防止することができる。
【００２０】
更に、周辺土手部材ｅ７を構成する長辺側土手ｅ７ａの排水口ｅ１２を挟んで位置する上面には、それぞれ、凸部ｅ１６が突設されている。
【００２１】
なお、ｅ１７は、便槽部材Ｅのステップ部ｅ２の適当な側壁に形成された持ち手であり、また、ｅ１８は、上述した長辺側凹部ｅ１１ａに連通する排水口ｅ１２を架橋するように形成された持ち手であり、このような持ち手ｅ１７、ｅ１８を持って、便槽部材Ｅを搬送することができるように構成されている。
【００２２】
図７及び図８に示されているように、平面形状が、略Ｕ字状の清水タンク部材Ｗは、略Ｕ字状の天板ｗ１と略Ｕ字状の底板ｗ２と相対する外壁ｗ３と略Ｕ字状の内壁ｗ４と後壁ｗ５と所定の間隔を置いて配置された一対の前壁ｗ６とを有している。天板ｗ１には、清水タンク部材Ｗに貯留されている清水を汲み上げて、便器Ｔに供給するための公知の清水汲み上げポンプＰが配設されている。
【００２３】
清水タンク部材Ｗの後壁ｗ５には、清水補給用小型タンクｗ７が形成されており、清水補給用小型タンクｗ７は、後壁ｗ５に連通口を穿設することにより、清水タンク部材Ｗに連通されている。清水補給用小型タンクｗ７には、上部開口ｗ７ａが穿設されており、上部開口ｗ７ａは、蓋部材ｗ７ｂにより被蓋されている。また、清水補給用小型タンクｗ７の清水タンク部材Ｗの後壁ｗ５に垂直な相対する側壁ｗ７ｃのうちの一方の側壁ｗ７ｃの下部には、清水排出口ｗ７ｄが形成されており、清水排出口ｗ７ｄのネジ部には、キャップｗ７ｅが螺合されている。更に、清水タンク部材Ｗを構成する相対する外壁ｗ３の略中央部には、それぞれ、嵌合突起ｗ３ａが形成されている。清水排出口ｗ７ｄは、上述した便槽部材Ｅの後部段部ｅ４が形成された汚物吸引・清水注入用開口ｅ４ａの上方に位置するように構成されている。
【００２４】
図９及び図１０に示されているように、ハウス部材Ｈを構成する相対する側壁３の内面（ハウス部材Ｈの内部側に位置する面）の下部中央部には、水平嵌合溝３ａ１と水平嵌合溝３ａ１の両端から下方に延在する一対の垂直溝３ａ２とからなる正面形状が略逆Ｕ字状の嵌合溝３ａが形成されている。嵌合溝３ａには、上述した清水タンク部材Ｗを構成する相対する外壁ｗ３の略中央部に突設された嵌合突起ｗ３ａが嵌合されるように構成されている。
【００２５】
次に、ハウス部材Ｈと便槽部材Ｅと清水タンク部材Ｗと便器Ｔ等からなる仮設トイレの組立について説明する。
【００２６】
先ず最初に、地面やコンクリート面や床面等に便槽部材Ｅを設置した後、便槽部材Ｅの上面に、ハウス部材Ｈを構成する床部４の裏面に形成されたガイド凹部４ａに、便槽部材Ｅを構成する周辺土手部材ｅ７の長辺側土手ｅ７ａの上面に突設された凸部ｅ１６が嵌合されるように、ハウス部材Ｈを載置する。このように、ハウス部材Ｈを、便槽部材Ｅに載置した際に、便槽部材Ｅの周辺土手部材ｅ７を形成する長辺側土手ｅ７ａの上面に突設された凸部ｅ１６が、ハウス部材Ｈの床部４の裏面に形成されたガイド凹部４ａに嵌合されているので、扉部６が取り付けられた前枠５側からハウス部材Ｈを見た場合に、ハウス部材Ｈの左右方向の位置決めが行われており、従って、扉部６が取り付けられた前枠５側からハウス部材Ｈを見た場合に、ハウス部材Ｈを前後方向に、適宜、移動させるだけで、ハウス部材Ｈを、所定位置に載置することができる。なお、ハウス部材Ｈを前後方向に移動させて、便槽部材Ｅに、ハウス部材Ｈが載置された際には、便槽部材Ｅを構成するステップ部ｅ２及び後部段部ｅ４が、ハウス部材Ｈを構成する床部４の外側に位置するように構成されている。
【００２７】
上述したように、ハウス部材Ｈを、便槽部材Ｅに載置した際には、便槽部材Ｅの周辺土手部材ｅ７を形成する長辺側土手ｅ７ａの上面に突設された凸部ｅ１６が、ハウス部材Ｈの床部４の裏面に形成されたガイド凹部４ａに嵌合されているので、便槽部材Ｅを構成するステップ部ｅ２及び後部段部ｅ４が、ハウス部材Ｈを構成する床部４の外側に位置するように、扉部６が取り付けられた前枠５側からハウス部材Ｈを見た場合に、ハウス部材Ｈを前後方向に水平移動させた場合に、ハウス部材Ｈが左右方向にずれるようなことがなく、従って、ハウス部材Ｈの便槽部材Ｅの上面への位置決めを、正確に、且つ、迅速に行うことができ、便槽部材Ｅの上面へのハウス部材Ｈの載置作業の作業性が向上する。なお、ハウス部材Ｈを、便槽部材Ｅの上面の所定の位置に載置した後、公知のように、ハウス部材Ｈと便槽部材Ｅとが、ネジやボルト・ナット等の適当な固着具により固定されることになる。
【００２８】
また、ハウス部材Ｈが前後方向に水平移動した際には、便槽部材Ｅの周辺土手部材ｅ７の上面に突設された凸部ｅ１６が、ハウス部材Ｈの床部４の裏面に形成されたガイド凹部４ａの端部に当接し、ハウス部材Ｈの前後方向への大きな水平移動が制限されるように構成されている。
【００２９】
次いで、ハウス部材Ｈを構成する床部４に、清水タンク部材Ｗを載置することになるが、床部４に、清水タンク部材Ｗを載置した際には、清水タンク部材Ｗの相対する外壁ｗ３に突設された嵌合突起ｗ３ａが、ハウス部材Ｈを構成する相対する側壁３に形成された略逆Ｕ字状の嵌合溝３ａに嵌合されるように構成されている。その後、清水タンク部材Ｗの後壁ｗ５が、ハウス部材Ｈを構成する奥壁２に当接或いは奥壁２に接近するように、清水タンク部材Ｗを配置する。このように、清水タンク部材Ｗの後壁ｗ５が、ハウス部材Ｈを構成する奥壁２に当接或いは奥壁２に接近するように、清水タンク部材Ｗを配置した際には、清水タンク部材Ｗの清水補給用小型タンクｗ７が、ハウス部材Ｈを構成する奥壁２に穿設された開口２ａから、ハウス部材Ｈの外側に突出するように構成されているとともに、清水タンク部材Ｗの相対する外壁ｗ３に突設された嵌合突起ｗ３ａが、ハウス部材Ｈを構成する相対する側壁３に形成された略逆Ｕ字状の嵌合溝３ａの奥壁２側の垂直溝３ａ２に嵌合されるように構成されている。従って、ハウス部材Ｈを構成する床部４に載置された清水タンク部材Ｗが水平移動するようなことがない。
【００３０】
次いで、清水タンク部材Ｗの凹部に、便器Ｔを配置する。清水タンク部材Ｗの凹部に、便器Ｔを配置した際には、公知のように、便器Ｔの排出口ｔ１が、ハウス部材Ｈを構成する床部４に穿設された開口４ｂ及び便槽部材Ｅに穿設された汚物投入用開口ｅ１ｂの上方に位置するように構成されている。
【００３１】
その後、便槽部材Ｅを構成する後部段部ｅ４の上面に穿設された排気用開口ｅ４ｂとハウス部材Ｈを構成する奥壁２に穿設された排気用開口２ｂ間に連結ダクトＤを配設する。奥壁２は、ブロー成形等により、内部に空間部を有する２重壁構造に形成されているので、便槽部材Ｅ内に溜まった汚臭は、便槽部材Ｅを構成する後部段部ｅ４の上面に穿設された排気用開口ｅ４ｂ、連結ダクトＤ、ハウス部材Ｈを構成する奥壁２に穿設された排気用開口２ｂ及び奥壁２の内部空間部を経て、奥壁２に外側壁の上部に穿設された背部換気口２ｃから排出されるように構成されている。なお、２ｄは、奥壁２の上部に穿設された換気口であり、ハウス部材Ｈを換気するように構成されているとともに、換気口２ｄは、当然のことながら、２重壁構造に形成された奥壁２の内部空間部に連通しないように構成されている。なお、ハウス部材Ｈの側壁３の上部に、このような換気口３ｂを形成することもできる。
【００３２】
上述したようにして、仮設トイレが組み立てた後、ハウス部材Ｈを構成する奥壁２に穿設された開口２ａから、ハウス部材Ｈの外側に突出している清水タンク部材Ｗの清水補給用小型タンクｗ７の上部開口ｗ７ａを被蓋している蓋部材ｗ７ｂを開けて、上部開口ｗ７ａから、清水タンク部材Ｗに清水を供給し、その後、上部開口ｗ７ａを、蓋部材ｗ７ｂにより被蓋する。このようにして、図１及び図２に示されているような仮設トイレが使用可能になる。なお、必要に応じて、仮設トイレ内に、照明装置や荷物台や衣装フック等が設置されることになる。
【００３３】
上述したように、仮設トイレが組み立てられた際には、清水タンク部材Ｗの清水補給用小型タンクｗ７が、ハウス部材Ｈの外側に突出しているので、清水タンク部材への清水の供給を、ハウス部材Ｈの外側から行うことができ、従って、清水タンク部材Ｗへの清水の供給作業の作業性が向上する。
【００３４】
また、便槽部材Ｅに溜まった汚物は、便槽部材Ｅの後部段部ｅ４が形成された汚物吸引・清水注入用開口ｅ４ａを被蓋している蓋部材ｅ５を開けるとともに、汚物吸引・清水注入用開口ｅ４ａにバキュームパイプを挿入することにより、吸引除去することになる。
【００３５】
更に、仮設トイレを移動する際には、便槽部材Ｅの底部ｅ３の長辺側に、所定の間隔を置いて形成されたフォーク挿入用凹部ｅ３ａと地面や床面等の間に形成された間隙に、一対のフォークの先端部を挿入するとともに、フォークに、仮設トイレを載置し、適宜、仮設トイレの設置位置を移動することができる。
【００３６】
仮設トイレを解体する場合には、便槽部材Ｅの後部段部ｅ４が形成された汚物吸引・清水注入用開口ｅ４ａを被蓋している蓋部材ｅ５を開けて、便槽部材Ｅに溜まった汚物を、上述したように、汚物吸引・清水注入用開口ｅ４ａにバキュームパイプを挿入することにより吸引除去する。また、清水タンク部材Ｗの清水排出口ｗ７ｄのネジ部に螺合されているキャップｗ７ｅを取り外して、清水タンク部材Ｗに残っている清水を、清水排出口ｗ７ｄの下方に位置する便槽部材Ｅの汚物吸引・清水注入用開口ｅ４ａに排出することにより、清水タンク部材Ｗを空にする。この清水を用いて、汚物が除去された便槽部材Ｅを洗浄することができ、また、清水タンク部材Ｗの残余の清水では足りない場合には、汚物吸引・清水注入用開口ｅ４ａから、洗浄水を注入することになる。便器Ｔや便槽部材Ｅの洗浄後、便槽部材Ｅに溜まっている洗浄水を、汚物吸引・清水注入用開口ｅ４ａにバキュームパイプを挿入することにより吸引除去するか、或いは、便槽部材Ｅの後壁ｅ６の下部に形成された排水口ｅ６ａに螺合されているキャップｅ６ｂを取り外して、便槽部材Ｅに残存している洗浄水を除去する。
【００３７】
上述したように、清水タンク部材Ｗの清水排出口ｗ７ｄのネジ部に螺合されているキャップｗ７ｅを取り外して、清水タンク部材Ｗに残っている清水を、清水排出口ｗ７ｄの下方に位置する便槽部材Ｅの汚物吸引・清水注入用開口ｅ４ａに排出することができるので、清水タンク部材Ｗからの残余清水の除去作業の作業性が向上する。
【００３８】
その後、ハウス部材Ｈに設置された便器Ｔを、清水タンク部材Ｗの凹部から取り外す。次いで、清水タンク部材Ｗの少なくとも奥壁２側を持ち上げて、清水タンク部材Ｗの相対する外壁ｗ３に突設された嵌合突起ｗ３ａを、ハウス部材Ｈを構成する相対する側壁３に形成された略逆Ｕ字状の嵌合溝３ａの奥壁２側の垂直溝３ａ２から排出させるとともに、清水タンク部材Ｗを、奥壁２から遠ざける方向、換言すれば、扉部６方向に移動させると、上記の外壁ｗ３に突設された嵌合突起ｗ３ａが、側壁３に形成された略逆Ｕ字状の嵌合溝３ａの水平嵌合溝３ａ１に案内されながら、嵌合溝３ａの扉部６側の垂直溝３ａ２方向に移動し、嵌合溝３ａの扉部６側の垂直溝３ａ２の上方に移動した時点で、嵌合突起ｗ３ａが、側壁３に形成された略逆Ｕ字状の嵌合溝３ａの扉部６側の垂直溝３ａ２に嵌合されることになる。
【００３９】
図１１に示されているように、清水タンク部材Ｗの外壁ｗ３に突設された嵌合突起ｗ３ａが、ハウス部材Ｈの側壁３に形成された略逆Ｕ字状の嵌合溝３ａの扉部６側の垂直溝３ａ２に嵌合された時点においては、清水タンク部材Ｗの後壁ｗ５に形成された清水補給用小型タンクｗ７が、ハウス部材Ｈを構成する奥壁２に穿設された開口２ａから、ハウス部材Ｈの外側に突出されていた状態から、ハウス部材Ｈ内に収容されて、ハウス部材Ｈを構成する奥壁２から外側に突出しないように構成されている。また、この作業に前後して、便槽部材Ｅを構成する後部段部ｅ４の上面に穿設された排気用開口ｅ４ｂとハウス部材Ｈを構成する奥壁２に穿設された排気用開口２ｂ間に配設された連結ダクトＤを取り外す。
【００４０】
その後、便槽部材Ｅに載置されているハウス部材Ｈを、ハウス部材Ｈ内に、清水タンク部材Ｗを収容したまま、便槽部材Ｅから降ろすことになるが、上述したように、清水タンク部材Ｗの後壁ｗ５に形成された清水補給用小型タンクｗ７が、ハウス部材Ｈ内に収容されて、ハウス部材Ｈを構成する奥壁２から外側に突出しないように構成されているので、ハウス部材Ｈを、便槽部材Ｅから降ろす際に、清水補給用小型タンクｗ７が、他の部材に当接して、損傷するようなことを防止することができる。また、ハウス部材Ｈを、トラック等に積載して搬送したり、或いは、倉庫等に保管する際に、清水タンク部材Ｗの後壁ｗ５の清水補給用小型タンクｗ７が、ハウス部材Ｈ内に収容されているので、隣り合うハウス部材Ｈの奥壁２同士や奥壁２と側壁３や奥壁２と前枠５とを、接近して配置することができるので、従って、より多くのハウス部材Ｈを、トラック等に積載することができるとともに、倉庫等に、効率的に保管することができる。
【００４１】
上述したようにして、仮設トイレを、少なくとも、便器Ｔ、清水タンク部材Ｗ、連結ダクトＤ、便槽部材Ｅ及びハウス部材Ｈとに解体し、搬送或いは保管することになる。
【００４２】
また、清水タンク部材Ｗの相対する外壁ｗ３に突設された嵌合突起ｗ３ａが、ハウス部材Ｈの側壁３に形成された略逆Ｕ字状の嵌合溝３ａの扉部６側の垂直溝３ａ２に嵌合されているので、ハウス部材Ｈの搬送中に、ハウス部材Ｈに収容された状態の清水タンク部材Ｗが移動するようなことがない。このように、ハウス部材Ｈの搬送中に、ハウス部材Ｈに収容された状態の清水タンク部材Ｗが移動するようなことがないので、仮設トイレの解体の際に、ハウス部材Ｈから、清水タンク部材Ｗを取り外す必要がなく、従って、仮設トイレの解体作業の作業性が向上するとともに、トラック等による搬送効率や倉庫等への保管効率が向上することになる。
【図面の簡単な説明】
【００４３】
【図１】図１は、本発明の仮設トイレの斜視図である。
【図２】図２は、本発明の仮設トイレの内部状態を含む斜視図である。
【図３】図３は、本発明の仮設トイレを構成するハウス部材の一部と便槽部材の斜視図である。
【図４】図４は、本発明の仮設トイレを構成する便槽部材の上方からの斜視図である。
【図５】図５は、本発明の仮設トイレを構成する便槽部材の下方からの斜視図である。
【図６】図６は、本発明の仮設トイレの奥壁側からの部分拡大斜視図である。
【図７】図７は、本発明の仮設トイレを構成する清水タンク部材や便器等の斜視図である。
【図８】図８は、本発明の仮設トイレを構成する清水タンク部材の斜視図である。
【図９】図９は、本発明の仮設トイレの一部切り欠き部を含む側面図である。
【図１０】図１０は、本発明の仮設トイレを構成する側壁の部分拡大斜視図である。
【図１１】図１１は、図２と同様の本発明の仮設トイレの内部状態を含む斜視図である。
【符号の説明】
【００４４】
Ｅ・・・・・・・・・・・・・・・・・便槽部材
ｅ１・・・・・・・・・・・・・・・・載置部
ｅ２・・・・・・・・・・・・・・・・ステップ部
ｅ４・・・・・・・・・・・・・・・・後部段部
Ｈ・・・・・・・・・・・・・・・・・ハウス部材
Ｔ・・・・・・・・・・・・・・・・・便器
Ｗ・・・・・・・・・・・・・・・・・清水タンク部材
ｗ７・・・・・・・・・・・・・・・・清水補給用小型タンク
１・・・・・・・・・・・・・・・・・屋根部
２・・・・・・・・・・・・・・・・・奥壁
３・・・・・・・・・・・・・・・・・側壁
３ａ・・・・・・・・・・・・・・・・嵌合溝
４・・・・・・・・・・・・・・・・・床部
５・・・・・・・・・・・・・・・・・前枠
６・・・・・・・・・・・・・・・・・扉部
【図１】
2006257795.tif 000003
【図２】
2006257795.tif 000004
【図３】
2006257795.tif 000005
【図４】
2006257795.tif 000006
【図５】
2006257795.tif 000007
【図６】
2006257795.tif 000008
【図７】
2006257795.tif 000009
【図８】
2006257795.tif 000010
【図９】
2006257795.tif 000011
【図１０】
2006257795.tif 000012
【図１１】
2006257795.tif 000013